(57)【特許請求の範囲】
【請求項１】
清掃用シートが装着される掃除具本体部と、
前記掃除具本体部に連結される把手と、を備えた掃除具において、
前記掃除具本体部は、所定の角度で交差する二つの仮想平面上にある２枚の可撓性板体を備えて構成され、
当該掃除具本体部は、上方向からの押力によって前記２枚の可撓性板体の間の距離が前端側から大きくなるよう展開され、左右方向の押力によって前記２枚の可撓性板体の間の距離が小さくなるように圧縮され、
前記２枚の可撓性板体は、基端から先端に向かって設けられたガイド部を備え、
前記ガイド部は、前記可撓性板体における当該ガイド部以外の部分よりも剛性が高いことを特徴とする掃除具。
【請求項２】
前記ガイド部は、先端側にいくにつれて外側に向かうよう設けられていることを特徴とする請求項１に記載の掃除具。
【請求項３】
前記２枚の可撓性板体は、二股の挿入口を有する清掃用シートに装着されることを特徴とする請求項１又は２に記載の掃除具。
【請求項４】
前記２枚の可撓性板体は、それぞれ異なる機能を有する清掃用シートが装着されることを特徴とする請求項１又は２に記載の掃除具。
【請求項５】
清掃用シートが装着される掃除具本体部と、
前記掃除具本体部に連結される把手と、を備えた掃除具において、
前記掃除具本体部は、所定の角度で交差する二つの仮想平面上にある２枚の可撓性板体を備えて構成され、
当該掃除具本体部は、上方向からの押力によって前記２枚の可撓性板体の間の距離が前端側から大きくなるよう展開され、左右方向の押力によって前記２枚の可撓性板体の間の距離が小さくなるように圧縮され、
前記２枚の可撓性板体は、それぞれ異なる機能を有する清掃用シートが装着されることを特徴とする掃除具。
【請求項６】
前記２枚の可撓性板体の表面には、前記清掃用シートを係止する係止部が設けられていることを特徴とする請求項１〜５の何れか一項に記載の掃除具。
【請求項７】
前記所定の角度は、３０°〜１２０°の範囲内の値であることを特徴とする請求項１〜６の何れか一項に記載の掃除具。
【発明の詳細な説明】
【技術分野】
【０００１】
本発明は、掃除具に関する。
【背景技術】
【０００２】
従来、清掃用シートが装着される掃除具本体部と、掃除具本体部に連結される把手と、を備えた掃除具が知られている。
このような掃除具において、清掃用シートが装着される掃除具本体として断面視円弧形状の板状部にスリットを形成し、清掃時に押圧してスリットを広げることで、清掃用シートを被清掃面に広範囲に亘って押し付けることが可能な掃除具が提案されている（例えば、特許文献１参照。）。
また、清掃用シートが装着される掃除具本体が押圧によって適度なしなりを生じるように、当該掃除具本体の厚みを調整した清掃具が提案されている（例えば、特許文献２参照。）。
【先行技術文献】
【特許文献】
【０００３】
【特許文献１】特開２００６−２９６７１２号公報
【特許文献２】特開２００３−２６５３９１号公報
【発明の概要】
【発明が解決しようとする課題】
【０００４】
しかしながら、特許文献１記載の掃除具は、使用時に板状の掃除具本体が平面方向に広がって、平面方向の清掃用シートの掃面範囲を拡大するだけである。
また、特許文献２記載の掃除具においても、本体部分は板状であって、清掃用シートは本体部分のしなりに追従するだけである。
すなわち、特許文献１、２記載の掃除具は、清掃対象物に面で接触するだけなので、立体的な清掃対象物にはフィットすることができず、清掃を効率的に行なうことができないものであった。
また、特許文献１、２記載の掃除具は、奥は広いが間口が掃除具の幅より狭い隙間などに挿入するのは困難であって、清掃を効率的に行なうことができないものであった。
【０００５】
本発明の課題は、清掃対象物や隙間の形状に対して追従性が高く、清掃を効率的に行なうことができる掃除具を提供することである。
【課題を解決するための手段】
【０００６】
上記課題を解決するために、請求項１に記載の発明は、
清掃用シートが装着される掃除具本体部と、
前記掃除具本体部に連結される把手と、を備えた掃除具において、
前記掃除具本体部は、所定の角度で交差する二つの仮想平面上にある２枚の可撓性板体を備えて構成され、
当該掃除具本体部は、上方向からの押力によって前記２枚の可撓性板体の間の距離が前端側から大きくなるよう展開され、左右方向の押力によって前記２枚の可撓性板体の間の距離が小さくなるように圧縮され、
前記２枚の可撓性板体は、基端から先端に向かって設けられたガイド部を備え、
前記ガイド部は、前記可撓性板体における当該ガイド部以外の部分よりも剛性が高いことを特徴とする。
【０００７】
また、請求項２に記載の発明は、請求項１に記載の掃除具において、
前記ガイド部は、先端側にいくにつれて外側に向かうよう設けられていることを特徴とする。
【０００８】
また、請求項３に記載の発明は、請求項１又は２に記載の掃除具において、
前記２枚の可撓性板体は、二股の挿入口を有する清掃用シートに装着されることを特徴とする。
【０００９】
また、請求項４に記載の発明は、請求項１又は２に記載の掃除具において、
前記２枚の可撓性板体は、それぞれ異なる機能を有する清掃用シートが装着されることを特徴とする。
【００１０】
また、請求項５に記載の発明は、
清掃用シートが装着される掃除具本体部と、
前記掃除具本体部に連結される把手と、を備えた掃除具において、
前記掃除具本体部は、所定の角度で交差する二つの仮想平面上にある２枚の可撓性板体を備えて構成され、
当該掃除具本体部は、上方向からの押力によって前記２枚の可撓性板体の間の距離が前端側から大きくなるよう展開され、左右方向の押力によって前記２枚の可撓性板体の間の距離が小さくなるように圧縮され、
前記２枚の可撓性板体は、それぞれ異なる機能を有する清掃用シートが装着されることを特徴とする。
【００１１】
また、請求項６に記載の発明は、請求項１〜５の何れか一項に記載の掃除具において、
前記２枚の可撓性板体の表面には、前記清掃用シートを係止する係止部が設けられていることを特徴とする。
【００１２】
また、請求項７に記載の発明は、請求項１〜６の何れか一項に記載の掃除具において、
前記所定の角度は、３０°〜１２０°の範囲内の値であることを特徴とする。
【発明の効果】
【００１３】
本発明によれば、掃除具本体部が、所定の角度で交差する二つの仮想平面上にある２枚の可撓性板体を備えて構成され、使用時において当該掃除具本体部は、上方向からの押力によって２枚の可撓性板体の間の距離が前端側から大きくなるよう展開され、左右方向の押力によって２枚の可撓性板体の間の距離が小さくなるように圧縮されるように構成されている。
よって、掃除具本体部は、清掃対象物の幅に合わせて前端側から展開し、２枚の可撓性板体によって清掃対象物を挟みこむことで、立体的な形状の清掃対象物にもフィットすることができる。
また、掃除具本体部は、清掃面に押し付けると隙間の幅に合わせて変形するため、幅の狭い隙間にも、広い隙間にも好適にフィットすることができる。そして、このため、隙間の幅方向に掃除具本体部を動作させなくても、隙間の奥行き方向にのみ掃除具本体部を動作させれば当該隙間の清掃を行えることとなり、清掃効率が良い。
また、掃除具本体部は、奥は広いが間口が掃除具の幅より狭い隙間などの清掃を行う場合、間口では２枚の可撓性板体の間の距離が小さくなるように圧縮し、奥では２枚の可撓性板体の間の距離が大きくなるよう展開するように変形でき、間口側と奥側の幅が違う隙間にも好適にフィットすることができる。
すなわち、清掃対象物や隙間の形状に対して追従性が高く、清掃を効率的に行なうことができる。
【図面の簡単な説明】
【００１４】
【図１】本実施形態の掃除具の一例を示す斜視図である。
【図２】図１の掃除具の平面図である。
【図３】図１の掃除具の分解斜視図である。
【図４】図１の掃除具の撓り方を説明するための図である。
【図５】本実施形態の掃除具を用いて清掃している状態の一例を示す図である。
【図６】本実施形態の掃除具を用いて清掃している状態の一例を示す図である。
【図７】本実施形態の掃除具を用いて清掃している状態の一例を示す図である。
【図８】掃除具本体部の変形例の一例を示す図である。
【図９】掃除具本体部の変形例の一例を示す図である。
【図１０】清掃用シートの変形例の一例を示す図である。
【図１１】掃除具本体部の変形例の一例を示す図である。
【発明を実施するための形態】
【００１５】
以下に、図を参照して、本発明の実施の形態を詳細に説明する。ただし、発明の範囲は、図示例に限定されない。
【００１６】
本発明に係る掃除具１は、例えば、室内や車内などで埃を除去する清掃作業などに用いられるハンディモップである。
なお、以下の説明では、掃除具１において、長手方向一端側を後側、他端側を前側とし、短手方向一端側を左側、他端側を右側とし、前後方向及び左右方向の双方に直交する方向を上下方向とする。
【００１７】
掃除具１は、例えば、図１〜３に示すように、掃除具本体部１０と、掃除具本体部１０に連結された把手２０と、掃除具本体部１０に装着される清掃用シート３０と、を備えている。
【００１８】
掃除具本体部１０は、表面（上面及び下面）の略全体を覆うように清掃用シート３０が装着され、その表面の略全体により清掃面を構成するものである。
【００１９】
掃除具本体部１０は、例えば、図３に示すように、上方に凸となるよう所定の角度で交差する二つの仮想平面Ｈ，Ｈ上にある２枚の可撓性板体１１，１１備えて構成されている。
具体的に、可撓性板体１１，１１は、前後方向に長尺な矩形状の２枚のシート材であり、互いに３０°〜１２０°の所定の角度を成すように配された状態で、後上端部において把手２０の取付け部２１に固定され、断面視ハの字形状を成すようになっている。
可撓性板体１１，１１の後上端部からは、把手２０の取付け部２１が後ろ方向に向かって突出している。
なお、２枚の可撓性板体１１，１１を取付け部２１に固定するには、例えば、可撓性板体１１，１１の後上端部を内側に折り曲げ、その折り曲げた部位を取付け部２１に固定するなどの方法が挙げられるが、これに限定されない。
【００２０】
この可撓性板体１１，１１は、後上端部のみが取付け部２１に固定され、二つの仮想平面Ｈ，Ｈが成す仮想の頂角Ｒが３０°〜１２０°の所定の角度を成すよう構成されることにより、上方側や後上方側（把手２０側）から押力が掛かった場合には、２枚の可撓性板体１１，１１の間の距離が前端側から大きくなるよう展開する。また、左右方向から押力が掛かった場合には、２枚の可撓性板体１１，１１の間の距離が小さくなるように圧縮する。そして、押力が外れた場合には、前端部の開きが元の状態に復元する可撓性を有している。
即ち、２枚の可撓性板体１１，１１は、押圧方向に対して傾いて設置されているため、把手２０を被清掃部に対して垂直に押圧すると被清掃部に対して平行になろうとするが、後上端部で把手２０に固定されているため変形度合いが制限される。この結果、可撓性板体１１，１１の自由端である先端部が、捩れるように弾性変形して展開する。
また、２枚の可撓性板体１１，１１は、互いに所定の角度を成した立体形状であるため、左右に押圧した場合には弾性変形して圧縮する。
具体的には、図４に示すように、可撓性板体１１，１１に上方側から、例えば自重の２〜２０倍の加重を掛けると、力の大きさに応じて可撓性板体１１，１１が撓って前端部（前下端部）から左右に開くように展開し、加重を外すと元の状態に復元する。
なお、頂角Ｒの元の角度が３０°未満であると展開させる時に開きづらく、１２０°より大きいと圧縮させるときに閉まりづらくなるため、成形時には角度を３０°〜１２０°の範囲内の値とすることが好ましい。
【００２１】
掃除具本体部１０は、このような可撓性板体１１，１１から構成されることにより、清掃を行う場合の、清掃対象物や隙間の形状に追従して横方向（左右方向）及び縦方向（上下方向）に変形し、清掃対象物や隙間の形状にフィットするようになっている。
また、この可撓性板体１１，１１は、前方から徐々に展開していくため、隙間の奥で壁などの面に突き当たった場合に、当該面により前端部が左右に広がるように変形し、隙間の形状にフィットするようになっている。
【００２２】
なお、可撓性板体１１に用いられる材質としては、例えば、ポリエチレン、ポリプロピレン、ポリエチレンテレフタレート、ＡＢＳ（Acrylonitrile Butadiene Styrene）樹脂、ポリスチレン、等の熱可塑性樹脂が挙げられる。これらは単独で、或いは２種以上を組み合わせて用いることができる。また、上記樹脂材の他にも、例えば、木材、金属板、紙、樹脂含有紙、ゴム状板、などを用いることとしても良い。
また、可撓性板体１１は、全体が同じ材質でも良いし、しなり方等を制御するため部分的に上記の材質を組み合わせることとしても良い。
具体的には、例えば、可撓性板体１１の縁部の材料として中央部よりも柔らかい材質のものを用いることで、所望のしなり性を確保しつつ、縁部が被清掃部に当たっても被清掃部を傷付けないようにすることができる。
また、可撓性板体１１を、例えば、３層構造にして、中層部に硬い材質のものを用い、表層部に中層部よりも柔らかい材質のものを用いてしなり方を調整してもよい。
【００２３】
ここで、樹脂又はゴム状板を用いる場合には、インジェクションやブローで金型に入れて成型したり、塊を切削やキャスト法等で製板した後に加熱成型や真空成型したりすることで可撓性板体１１を作製することができる。
また、木材を用いる場合には、板材に熱をかけて折り曲げた状態で固定したり、塊から削り出したりすることで作製することができる。
また、金属板を使用する場合には、板材をプレス加工又は折り曲げ加工することにより可撓性板体１１を作製することができる。
また、樹脂含有紙を用いる場合には、紙を所定の形状とした状態で溶融樹脂を含浸し冷却したり、或いは紙を樹脂含有紙とした後に加熱成型することにより作製することができる。
【００２４】
把手２０は、図１〜３に示すように、掃除具本体部１０に固定するための取付け部２１と、掃除時に握るための把持部２２とで構成されている。
取付け部２１は、その一端部に可撓性板体１１，１１が固着され、他端部が把持部２２に固定された棒状部材である。なお、取付け部２１の長さは適宜設定される。
把持部２２は、取付け部２１の根元から後上方に延びる形状であり、使い勝手の観点から例えば１０〜２０ｃｍ程度の長さに形成されている。
【００２５】
なお、このような把手２０に用いられる材質については特に制限はなく、例えば、ポリエチレン、ポリプロピレン、ポリエチレンテレフタレート、ＡＢＳ樹脂、ポリスチレン、等の熱可塑性樹脂や、木材、紙、樹脂含有紙、ゴム状板、金属、などを用いて作製することができる。
具体的な作製方法としては、掃除具本体部１０と同様の方法を適用可能である。
【００２６】
清掃用シート３０は、掃除具１の掃除具本体部１０に装着して用いる、取り替え式の清掃用シートである。
清掃用シート３０は、例えば、図２、３に示すように、二股の挿入口３０ａ，３０ａを有し、挿入口３０ａ，３０ａから可撓性板体１１，１１を差し込むことによって、掃除具本体部１０の略全体を覆うように装着されて使用される。
清掃用シート３０は、被清掃部にゴミ等の固形状汚れがある場合、主に繊維集合体３２で当該固形状汚れを絡め取ることによって、当該固形状汚れを取り去るようになっている。
【００２７】
具体的に、清掃用シート３０は、モップ状の清掃用シートであり、互いに重ね合わされた２枚の基材シート３１と、基材シート３１の一方の面（外面）に接合され、繊維３２１，…が集合してなる繊維集合体３２と、を備えて構成される。
【００２８】
基材シート３１，３１は、例えば、前後方向に長尺なシート中央部に前後方向に沿ったスリット３３の形成されたコの字形状に形成されており、繊維集合体３２で覆われていない面同士が対向するように重ね合わされて、長手方向一端部（後端部）を除いた周縁部を接着することによって、長手方向一端部（後端部）を二股の開口部（挿入口３０ａ，３０ａ）とした袋状に形成されている。
この基材シート３１，３１は、掃除具本体部１０を差し込むことによって、掃除具本体部１０の形状に追従して上方に凸となるよう所定の角度折り曲げられた状態に変形する。
そして、清掃用シート３０がこのような二股の挿入口３０ａ，３０ａを有する形状であることで、可撓性板体１１，１１の開閉動作が妨げられることがなく、掃除具本体部１０の展開及び圧縮の変形がスムーズに行われるようになっている。
なお、この清掃用シート３０のスリット３３の長さによって、可撓性板体１１，１１の開き具合を制御することができる。即ち、スリット３３が後端部に近い位置まで形成されている程、可撓性板体１１，１１の最大の開き具合が広くなる。
また、この清掃用シート３０の伸縮性によって、可撓性板体１１，１１の開き具合を制御することができる。即ち、清掃用シート３０の伸縮性が高ければ可撓性板体１１，１１は開き易く、伸縮性が低ければ可撓性板体１１，１１は開き難い。
また、例えば、清掃用シート３０の伸縮性を高くした場合には、清掃用シート３０を二股の開口部（挿入口３０ａ，３０ａ）を有したコの字形状ではなく、一つの開口部の矩形状としても良い。
【００２９】
基材シート３１は、所定の繊維を繊維素材として、例えば、スパンレース、エアスルー、エアレイド、ポイントボンド、スパンボンド、ニードルパンチ等の周知の技術により製造される不織布である。所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維、アクリル繊維、獣毛、羽、等が挙げられる。これらは単独で、或いは２種以上を組み合わせて用いることができる。なお、基材シート３１は、不織布に限ることはなく、シートであれば任意であり、例えば、織布であっても良い。
【００３０】
繊維集合体３２は、繊維３２１，…が所定の接合手段により基材シート３１に接合されることによって、形成されている。所定の接合手段としては、例えば、ホットメルト等の公知の接着剤、ヒートシール、超音波シール、縫製、ステープラ、植毛が挙げられる。これらは単独で、或いは２種以上を組み合わせて用いることができる。ここで、繊維３２１は、複数の繊維が集合してなる繊維束（トウ）をなしていることとする。
【００３１】
また、繊維集合体３２は、所定の繊維で形成された繊維束状の繊維３２１が集合してなるものである。所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維、アクリル繊維、獣毛、羽、等が挙げられる。これらは単独で、或いは２種以上を組み合わせて用いることができる。
【００３２】
次に、掃除具１の使用方法について説明する。
【００３３】
まず、清掃用シート３０の挿入口３０ａ，３０ａから掃除具本体部１０を挿入することによって、清掃用シート３０を掃除具本体部１０に装着する。
そして、ユーザは、清掃用シート３０が装着された掃除具１の把持部２２を握り、清掃用シート３０で被清掃部（清掃対象物や隙間）を拭き掃除する。
このとき、掃除具本体部１０は、清掃対象物を挟み込んで清掃できるようになっている。また、掃除具本体部１０は、家具と家具との間の隙間や家具と壁との間の隙間に入り込んで、当該隙間を清掃できるようになっている。
【００３４】
例えば、図５に示すように、立体形状の清掃対象物を清掃する場合、掃除具本体部１０の可撓性板体１１，１１は、清掃対象物の幅（寸法）に応じて前端部から左右に開くように撓りつつ展開し、可撓性板体１１，１１の内面において清掃対象物を挟み込むようになる。このとき、掃除具本体部１０は、当該清掃対象物の幅（寸法）に応じて変形しているため、清掃対象物の形状に好適にフィットすることとなる。また、清掃対象物を挟んだ際に、可撓性板体１１，１１の内面である２面によって清掃対象物を払拭でき、立体的な形状の清掃対象物であっても好適に清掃することができる。
そして、清掃後に掃除具１を清掃対象物から離すと、掃除具本体部１０は元の形状に変形（復元）する。
【００３５】
また、例えば、図６に示すように、所定の幅の隙間を清掃する場合、清掃面に掃除具本体部１０を押し付けると、掃除具本体部１０の可撓性板体１１，１１は、隙間の幅に応じて前端部から左右に開くように撓りつつ上面視Ｖ字状に展開する。このとき、掃除具本体部１０は、当該隙間の幅に合わせて左右に展開しているため、隙間に好適にフィットすることとなる。また、この状態で前後方向にのみ動作を行えば当該隙間を清掃でき、左右方向に掃除具本体部１０を動作させる必要がない。
そして、清掃後に掃除具１を清掃対象物から離すと、掃除具本体部１０は元の形状に変形（復元）する。
【００３６】
また、例えば、間口が掃除具の幅より狭く、奥は広い隙間などの清掃を行う場合、図７（ａ）に示すように、間口では左右方向の押力によって２枚の可撓性板体の間の距離が小さくなるように圧縮し、隙間の内部において２枚の可撓性板体の間の距離が大きくなるよう上面視Ｖ字状に展開していく。そして、隙間の奥に壁などの第３の面があった場合、図７（ｂ）に示すように、掃除具本体部１０の前端部は、奥側の面に押し付けられて左右に開き、上面視Ｔ字状に変形して当該隙間の形状に好適にフィットする。このとき、間口が狭いので把手２０の動きが制限され、左右への往復や円弧を描くような拭き方はできないため、掃除具本体部の前後が同等の幅である場合にはその幅分しか清掃面積が確保できないが、本実施形態によれば、この状態で前後に動作するだけで、掃除具本体部１０の前端部は開閉動作し、広範囲な清掃面積を清掃できることとなる。また、このとき、掃除具１を前後に動作させる際に、力の掛け方で奥側の隙間の清掃面積を調整しつつ清掃を行うことができる。
そして、清掃後に隙間から掃除具本体部１０を引き出すと、掃除具本体部１０は元の形状に変形（復元）する。
【００３７】
また、元の形状を維持したまま清掃を行いたい場合には、図示は省略するが、掃除具１（掃除具本体部１０）を上下逆向きとして用いることもできる。即ち、掃除具本体部１０が断面視逆ハの字形状となった状態で用いることができる。このようにして、ユーザが把手２０に対して上方から下方に押圧を掛けた場合、逆ハの字形状の掃除具本体部１０の頂角Ｒ付近に力が加わるだけなので掃除具本体部１０の形状が変形することがなく、上下方向の寸法を保ったまま清掃を行うことができる。
【００３８】
以上のように、本発明の掃除具１によれば、掃除具本体部１０は、所定の角度で交差する二つの仮想平面Ｈ，Ｈ上にある２枚の可撓性板体１１，１１を備えて構成され、使用時において当該掃除具本体部１０は、上方向からの押力によって２枚の可撓性板体１１，１１の間の距離が前端側から大きくなるよう展開され、左右方向の押力によって２枚の可撓性板体１１，１１の間の距離が小さくなるように圧縮されるように構成されている。
よって、掃除具本体部１０は、清掃対象物の幅に合わせて前端側から展開し、２枚の可撓性板体１１，１１によって清掃対象物を挟みこむことで、立体的な形状の清掃対象物にもフィットすることができる。
また、掃除具本体部１０は、清掃面に押し付けると隙間の幅に合わせて変形するため、幅の狭い隙間にも、広い隙間にも好適にフィットすることができる。そして、このため、隙間の幅方向に掃除具本体部１０を動作させず、隙間の奥行き方向にのみ掃除具本体部１０を動作させれば、当該隙間の清掃を行えることとなり、清掃効率が良い。
また、掃除具本体部１０は、奥は広いが間口が掃除具本体部１０の幅より狭い隙間などの清掃を行う場合、間口では２枚の可撓性板体１１，１１の間の距離が小さくなるように圧縮し、奥では２枚の可撓性板体１１，１１の間の距離が大きくなるよう展開するように変形することとなり、間口側と奥側の幅が違う隙間にもフィットすることができる。
このように、掃除具１は清掃対象物や隙間の形状に対して追従性が高く、清掃対象物や隙間に好適にフィットするため、清掃作業を効率的に行なうことができる。
【００３９】
また、本発明の掃除具１によれば、２枚の可撓性板体１１，１１は、二股の挿入口３０ａ，３０ａを有する清掃用シート３０に装着されているため、清掃用シート３０が可撓性板体１１，１１の開閉動作を妨げることがなく、掃除具本体部１０の展開及び圧縮の変形がスムーズに行われるようにすることができる。
【００４０】
また、本発明の掃除具１によれば、２枚の可撓性板体１１，１１が、３０°〜１２０°の範囲内の所定の角度を成すように設定されているため、掃除具本体部１０の展開及び圧縮の変形がスムーズに行われるようにすることができる。
【００４１】
なお、上記実施形態においては、２枚の可撓性板体１１，１１が、把手２０の取付け部２１の一端部に直接取り付けられた構成を例示して説明しているが、２枚の可撓性板体１１，１１を連結する連結部を介して取付け部２１に取り付けることとしても良い。
【００４２】
＜変形例１＞
変形例１の掃除具２は、例えば、図８に示すように、２枚の可撓性板体１１，１１が所定の角度を成すように固定する固定部材１３を備えた掃除具本体部１０Ａを備えている。
固定部材１３は、例えば、３０°〜１２０°の所定の角度に折り曲げられ、両端部に固定用爪１３１，１３１を有する硬質部材であって、可撓性板体１１，１１の溝部１１１，１１１に固定用爪１３１，１３１を係止させることで、可撓性板体１１，１１が成す角度を固定させる。
この場合、使用前の時点では、２枚の可撓性板体１１，１１は、所定の角度を成していない。そして、使用時に、２枚の可撓性板体１１，１１は、固定部材１３により所定の角度を成すように固定されることで断面視ハの字形状を成す。
なお、固定部材１３は、清掃時の可撓性板体１１，１１の開閉動作を妨げないように、図８に示すように、可撓性板体１１，１１の後方部に備えることが好ましい。
また、固定部材１３は、可撓性板体１１，１１が所定の角度を成すように固定できるものであれば、その形状や材質等は特に限定されない。また、可撓性部材であっても硬質部材であっても適用可能である。
変形例１の掃除具２は、このような構成により、使用時に立体形に組み立てることが可能であるので、未使用時には平面状にして収納することが可能である。
【００４３】
＜変形例２＞
変形例２の掃除具３は、例えば、図９に示すように、可撓性板体１１に、基端から先端（前端）に向かって可撓性板体１１の他の部分よりも剛性の高いガイド部１４を設けた掃除具本体部１０Ｂを備えている。
ガイド部１４は、上方から押力が掛かった場合に可撓性板体１１の全体に均一に力が掛かるようにするものであって、例えば、可撓性板体１１の一部を他の部分よりも肉厚とすることで剛性が高められ肉厚部によって構成され、先端側（前端側）にいくにつれて外側に向かうよう設けられている。
なお、ガイド部１４は、可撓性板体１１とは別部材として形成して、可撓性板体１１に装着することとしても良い。このとき、ガイド部１４を形成する素材としては特に限定はないが、例えば可撓性板体１１の他の部分よりも硬質な素材を用いることが好ましい。
変形例２の掃除具３は、このような構成により、可撓性板体１１,１１を展開させる際に、均一に力を掛けることが可能であるので、清掃作業をより効率的に行うことができる。
なお、上記変形例２においては、ガイド部１４が前端側にいくにつれて外側に向かうよう設けられた構成を例示して説明したが、ガイド部１４は、可撓性板体１１の基端から前端に向かって設けられるものであれば良く、例えば可撓性板体の１１の左・右側部に平行となるように設けることとしても良い。
【００４４】
＜変形例３＞
変形例３の掃除具４は、例えば、図１０に示すように、２枚の可撓性板体１１，１１のそれぞれに別々に装着する清掃用シート４０Ａ，４０Ｂからなる清掃用シート４０を備えている。
掃用シート４０Ａ，４０Ｂは、それぞれ異なる機能を有する清掃用シートであって、例えば、左側の清掃用シート４０Ａが袋形状のモップで、右側の清掃用シート４０Ｂが袋形状の平面シートとなっている。つまり、２枚の可撓性板体１１，１１には、それぞれ異なる機能を有する清掃用シート４０Ａ，４０Ｂが装着されている。
変形例３の掃除具４は、このような構成により、１つの掃除具を二通りの用途に用いることが可能であるので、清掃作業をより効果的に行うことができる。
このように、掃除具本体部１０に装着する清掃用シート３０の種類や形状は適宜変更可能である。例えば、清掃用シート４０Ａ，４０Ｂは、同一の清掃用シートであっても良い。
また、シートの形状は、袋形状以外にも、筒状としても良いし、掃除具本体部１０を包むように折り返して装着しても良い。
【００４５】
＜変形例４＞
変形例４の掃除具５は、例えば、図１１に示すように、可撓性板体１１の表面に、清掃用シート５０を係止する係止部１５を設けた掃除具本体部１０Ｃを備えている。
係止部１５は、例えば、可撓性板体１１の表面に付設した面ファスナなどの接着部材であり、掃除具本体部１０Ｃの上面及び下面のそれぞれにおいて、係止部１５の外面に、清掃用シート５０，５０が付着する構成となっている。
このとき、係止部１５の形状に特に制限はないが、少なくとも可撓性板体１１の周縁部に沿って設けることが好ましい。
また、清掃用シート５０は、左右の可撓性板体１１にそれぞれ別個に接着可能な板状の清掃用シート５０Ａ，５０Ｂから構成されている。
なお、係止部１５の構成はこれに限定されるものではなく、これ以外にも、例えば、可撓性板体１１の表面に針や毛状の突起部を係止部として設け、清掃用シート５０全体を突き刺して突起部の先端を清掃用シート５０から露出させるようにすることで、清掃用シート５０を取り付けることとしても良い。
また、可撓性板体１１の表面にクリップ、マグネット、紐、ゴム、等を用いた係止部を設け、清掃用シート５０を取り付けることとしても良い。
【符号の説明】
【００４６】
１、２、３、４、５  掃除具
１０、１０Ａ、１０Ｂ、１０Ｃ  掃除具本体部
１１，１１  可撓性板体
１１１，１１１  溝部
１３  固定部材
１３１，１３１  固定用爪
１４  ガイド部
１５  係止部
２０  把手
２１  取付け部
２２  把持部
３０、４０（４０Ａ，４０Ｂ）、５０（５０Ａ，５０Ｂ）  清掃用シート
３０ａ，３０ａ  挿入口
３１，３１  基材シート
３２  繊維集合体
３２１  繊維
３３  スリット
【図１】
0005590917.tif 000002
【図２】
0005590917.tif 000003
【図３】
0005590917.tif 000004
【図４】
0005590917.tif 000005
【図５】
0005590917.tif 000006
【図６】
0005590917.tif 000007
【図７】
0005590917.tif 000008
【図８】
0005590917.tif 000009
【図９】
0005590917.tif 000010
【図１０】
0005590917.tif 000011
【図１１】
0005590917.tif 000012